(57)【要約】【課題】  通気弁が収納されたハウジングを簡単かつ速やかに取り出すことができる通気弁収納用ボックスを提供する。【解決手段】  建物の支持柱にはボックス１２が取付けられている。ボックス１２内には排水管に連通されて動作する通気弁が収納されたハウジング１７が支持される。ボックス１２の前面には窓部が開口され、その窓部にはカバー体２０が着脱可能に装着される。ボックス１２の上面壁１８は後部側に設けられ、上面壁１８はハウジング１７の直上に位置する半円状凸所１８ａを有し、上面壁１８の前部側に開口部１９が形成されている。【選択図】  図１
2018109350.tif 000002
【特許請求の範囲】
【請求項１】
建物の構造物に取付けられるボックス内には排水管に連通されて動作する通気弁が収納されたハウジングが支持されるとともに、ボックスの前面には窓部を開口し、その窓部にはカバー体が着脱可能に装着されるように構成された通気弁収納用ボックスであって、
前記ボックスの上面壁は後部側に設けられ、上面壁はハウジングの直上に位置する凸所を有し、上面壁の前部側に開口部が形成されている通気弁収納用ボックス。
【請求項２】
前記凸所は半円状をなしている請求項１に記載の通気弁収納用ボックス。
【発明の詳細な説明】
【技術分野】
【０００１】
本発明は、例えば建築物の壁内に配置され、内部に通気弁が収納される通気弁収納用ボックスであって、通気弁の点検や取り替えを容易に行うことができるように構成された通気弁収納用ボックスに関する。
【背景技術】
【０００２】
建築物に設けられた排水管には、化粧室、台所、風呂等の排水設備が接続されている。これらの排水設備には、臭気が排水管内を上昇するのを防止するために、それぞれ排水トラップが設けられている。しかし、排水管内を排水が満液状態で急激に流れる場合等には、その上流側で排水管内が負圧となり、排水トラップの封水が吸引されて流れ出てしまい、臭気が排水管内から部屋に流れ込むおそれがある。このため、排水管に連通する通気管を設け、その通気管の開口部に通気弁が設けられ、排水管内の負圧状態を解消するようになっている。
【０００３】
この通気弁はハウジング内に収納された状態で、四角箱状をなすボックス内に収納され、該ボックスの前面には窓部が開口されている。この窓部は、壁の開口に対向している。前記ボックスの窓部にはカバー体が着脱可能に取付けられるように構成されている。そして、通気弁の点検や取り替え時には、カバー体を取り外し、ボックス内からハウジングを取り出した後に行うようになっている。
【０００４】
この種の通気弁点検装置が例えば特許文献１に開示されている。すなわち、この通気弁点検装置の通気弁を収納する筐体は、壁側の取出開口部、内面部、上面部、両側面部及び下面部を備えるとともに、前記取出開口部を閉塞するカバー体を具備している。そして、通気弁を点検、交換又はメンテナンスする場合には、カバー体を取り外した後、通気弁を把持し、持ち上げて引き出し、点検等を行うようになっている。
【先行技術文献】
【特許文献】
【０００５】
【特許文献１】特開２００１−８１８２５号公報
【発明の概要】
【発明が解決しようとする課題】
【０００６】
本発明の目的は、通気弁が収納されたハウジングを簡単かつ速やかに取り出すことができる通気弁収納用ボックスを提供すること。
【課題を解決するための手段】
【０００７】
上記の目的を達成するために、請求項１に係る発明の通気弁収納用ボックスは、建物の構造物に取付けられるボックス内には排水管に連通されて動作する通気弁が収納されたハウジングが支持されるとともに、ボックスの前面には窓部を開口し、その窓部にはカバー体が着脱可能に装着されるように構成された通気弁収納用ボックスであって、前記ボックスの上面壁は後部側に設けられ、上面壁はハウジングの直上に位置する凸所を有し、上面壁の前部側に開口部が形成されている。
【０００８】
請求項２に記載の発明の通気弁収納用ボックスは、前記凸所は半円状をなしている。
【発明の効果】
【０００９】
本発明の通気弁収納用ボックスによれば、開口部によって、通気弁の取出し及び収納時におけるスペースを確保でき、作業を容易かつ迅速に遂行できる。
【図面の簡単な説明】
【００１０】
【図１】一実施形態における通気弁収納用ボックスを支持柱に取付ける状態を示す分解斜視図。
【図２】遮蔽板を有するカバー体を背面側から見た状態を示す斜視図。
【図３】カバー体をボックスの前面に装着した状態を示す断面図。
【図４】（ａ）は通気弁の閉弁状態を示す断面図、（ｂ）は通気弁の開弁状態を示す断面図。
【図５】（ａ）は通気弁を収納したハウジングをボックス内に手で押し込む状態を示す断面図、（ｂ）はハウジングをボックス内に装着した後の状態を示す断面図。
【図６】カバー体を上下逆にして、遮蔽板の規制部をハウジングの底部に係合させた状態を示す斜視図。
【図７】カバー体の遮蔽板の規制部をハウジングの底部に係合させた状態を示す断面図。
【図８】第１参考例の通気弁収納用ボックスを示し、カバー体をボックスから分離した状態を示す分解斜視図。
【図９】遮蔽板に規制部を有しないカバー体を背面側から見た状態を示す斜視図。
【図１０】カバー体をボックス内に装着した状態を示す断面図。
【図１１】第２参考例の通気弁収納用ボックスを示し、カバー体をボックスから分離した状態を示す分解斜視図。
【図１２】カバー体をボックス内に装着した状態を示す断面図。
【図１３】第３参考例の通気弁収納用ボックスを示し、カバー体をボックスから分離した状態を示す分解斜視図。
【図１４】（ａ）はカバー体の遮蔽板をボックスの案内溝に沿って途中まで挿入した状態を示す断面図、（ｂ）はカバー体の遮蔽板をボックスの案内溝に沿って挿入を完了した状態を示す断面図。
【図１５】第４参考例の通気弁収納用ボックスを示し、カバー体及び枠体をボックスから分離した状態を示す分解斜視図。
【図１６】カバー体をボックス内に装着した状態を示す断面図。
【発明を実施するための形態】
【００１１】
（実施形態）
以下、本発明を具体化した一実施形態を図１〜図７に従って詳細に説明する。
図１及び図３に示すように、建物の構造物としての支持柱１１には、四角箱状をなすボックス１２がその側面の取付孔１３にビス１４を通して支持柱１１に螺入することにより取付けられている。ボックス１２の前面には窓部１５が開口され、通気弁１６が収納されたハウジング１７が出し入れ可能となっている。ボックス１２の上面壁１８は後部側に半円状凸所１８ａを有するように設けられ、その前部側が窓部１５以外の開口部１９となっている。
【００１２】
図５（ａ）に示すように、このボックス１２の開口部１９により、ハウジング１７をボックス１２内に出し入れする際にボックス１２内に手や指４１を入れて操作しやすくしている。
【００１３】
図１に示すように、前記ボックス１２の窓部１５には、カバー体２０がその両側部に設けられた挿通孔２１に雄ねじ２２を挿通して、ボックス１２前面の雌ねじ孔２３に螺合することにより取付けられ、カバー体２０がボックス１２に対して着脱可能に構成されている。
【００１４】
図３に示すように、このボックス１２は、前壁４３と後壁４４との間の空間部に配置され、前壁４３に開口された貫通部４３ａにボックス１２の前面部が嵌り込んでいる。そして、前記カバー体２０がボックス１２の前面に装着されて、前壁４３の貫通部４３ａが隠蔽されている。
【００１５】
図１及び図２に示すように、カバー体２０の上部背面には、遮蔽板２４がカバー体２０に対して直交するように後方へ延出されている。この遮蔽板２４の後端縁の中央には半円状凹所２４ａが設けられている。そして、カバー体２０の遮蔽板２４をボックス１２の窓部１５からボックス１２内へ挿入したとき、遮蔽板２４がボックス１２の開口部１９を塞ぐように構成されている。
【００１６】
図２及び図３に示すように、前記遮蔽板２４の下面には、断面逆Ｔ字状に形成された規制部２５が設けられ、カバー体２０がボックス１２の前面に装着されたとき、排水管内の正圧に基づくハウジング１７の動きを規制するようになっている。この規制部２５は、遮蔽板２４の下面から真下へ延びる支持板２６と、その支持板２６に支持されて遮蔽板２４と平行に延びる規制板２７とにより構成されている。規制板２７の後端は支持板２６の後端より長くなるように形成されている。なお、前記ボックス１２の上面壁１８に設けられた半円状凸所１８ａは、カバー体２０がボックス１２に装着されていないとき、排水管内の正圧発生によるハウジング１７の飛び出しを防止したり、ハウジング１７の取り出しの際に前壁４３と後壁４４との間の空間部へのハウジング１７の落下を防止したりするようになっている。
【００１７】
図２及び図６に示すように、前記遮蔽板２４の半円状凹所２４ａの両側部分は規制板２７や支持板２６より長く形成されてハウジング係合部２８となっている。そして、図６及び図７に示すように、カバー体２０を上下逆にして、ボックス１２の窓部１５から内方へ挿入してボックス１２内のハウジング１７の底部に係合させ、ハウジング１７を持ち上げてボックス１２内からの取り出しを可能とするようになっている。
【００１８】
図４（ａ）に示すように、前記ハウジング１７を構成する底壁部１７ａは有底矩形枠状に形成され、その中央部には図示しない排水管の分岐管２９に連結用のソケット３０を介して接続される円筒部３１が突設され、排水管に連通されている。該ソケット３０の上端内周部にはシールリング３２が嵌着される環状凹部３３が設けられている。そして、ハウジング１７の円筒部３１がソケット３０内に挿入されたとき、円筒部３１の外周面がソケット３０内周面のシールリング３２に密接して両者間がシールされるように構成されている。また、ハウジング１７を構成する上壁部１７ｂは有蓋矩形箱状に形成され、前記底壁部１７ａに嵌合されて、内部に弁室３４が形成されるようになっている。
【００１９】
前記底壁部１７ａにおける円筒部３１の両側方には、一対の吸気口３５が設けられ、外気を吸引できるようになっている。この吸気口３５の周囲には、円環状の弁座３６が突設されている。該弁座３６の中心部には、円筒状の軸支筒３７が支持されている。前記弁座３６の軸支筒３７には、板状をなす弁体３８の中心部に設けられた支軸３９がパッキン４０を介在した状態で、上下動可能に支持されている。
【００２０】
そして、図４（ａ）に示すように、常には弁体３８がパッキン４０を介して弁座３６上に位置して閉弁し、図４（ｂ）に示すように、弁室３４内の減圧時には弁体３８が弁座３６から離間して開弁するように開閉可能に構成されている。弁体３８の閉弁状態では、パッキン４０が弁体３８と弁座３６との間に介在されて、弁体３８と弁座３６との間のシール性を高め、弁室３４内の臭気が外部へ漏出しないようになっている。
【００２１】
本実施形態の通気弁収納用ボックスは、前記ボックス１２、窓部１５、開口部１９、カバー体２０、遮蔽板２４等により構成されている。
以上のように構成された本実施形態の通気弁収納用ボックスについて作用を説明する。
【００２２】
さて、図６及び図７に示すように、通気弁１６の点検や取り替えを行う場合には、カバー体２０をボックス１２から取り外し、上下逆にして遮蔽板２４をハウジング１７の底部方向へ挿入し、遮蔽板２４のハウジング係合部２８をハウジング１７の底部に係合させる。そして、図７に示すように、ハウジング係合部２８の先端縁をハウジング１７の底部に係合させると同時に、遮蔽板２４の外面をボックス１２の前部内周縁に係合させ、図７の矢印に示す方向にカバー体２０を回動させることにより、ハウジング１７をボックス１２内で浮き上がらせることができる。その状態のハウジング１７を指４１で掴んで持ち上げてボックス１２の窓部１５から取り出すことができる。
【００２３】
従って、取り出されたハウジング１７の上壁部１７ｂを底壁部１７ａから離間させることにより、ハウジング１７内の通気弁１６を点検したり、取り替えたりすることができる。このように、カバー体２０のハウジング係合部２８を利用することにより、通気弁１６が収納されたハウジング１７を簡単かつ速やかに取り出すことができる。この際、ボックス１２の上面には開口部１９が設けられていることから、ハウジング１７をボックス１２の窓部１５から取り出すときに指４１が上面壁１８に当たることを回避でき、ハウジング１７の取り出しを円滑に行うことができる。
【００２４】
次いで、通気弁１６の点検や取り替えが終了した後には、通気弁１６をハウジング１７内に収納し、ハウジング１７の上壁部１７ｂを底壁部１７ａに組付ける。そして、図５（ａ）に示すように、ハウジング１７を指４１で把持し、ボックス１２の窓部１５からボックス１２内に挿入し、ハウジング１７を下方へ押圧してハウジング１７の円筒部３１をソケット３０内に挿入する。図５（ｂ）に示すように、ハウジング１７の底壁部１７ａをさらに下方へ押圧すると、ハウジング１７の円筒部３１の下端部がソケット３０の係合突起３０ａに当接する。この状態で、ハウジング１７の円筒部３１の外周面がソケット３０のシールリング３２に密接し、排水管から弁室３４への臭気の漏れが抑制される。
【００２５】
この場合、ボックス１２の上面には開口部１９が設けられていることから、ハウジング１７をボックス１２の窓部１５から挿入して下方へ押圧するときに指４１が上面壁１８に当たることを回避でき、ハウジング１７の収納を円滑に行うことができる。
【００２６】
以上の本実施形態によって発揮される効果について、以下にまとめて記載する。
（１）この実施形態における通気弁収納用ボックスでは、ボックス１２の窓部１５以外の上面に開口部１９が設けられるとともに、カバー体２０には前記開口部１９を塞ぐ遮蔽板２４が設けられている。このため、作業用のスペースを広く形成することができ、通気弁１６を点検したり、取り替えたりする場合、通気弁１６が収納されたハウジング１７をボックス１２の窓部１５から取り出したり、元に戻したりする作業を無理なく、速やかに進めることができる。
【００２７】
従って、本実施形態の通気弁収納用ボックスによれば、通気弁１６の取出し及び収納時におけるスペースを確保でき、作業を容易かつ迅速に遂行することができるという効果を奏する。
【００２８】
（２）前記ボックス１２の開口部１９はボックス１２の上面に形成されるとともに、遮蔽板２４はカバー体２０の上部に設けられている。このため、ボックス１２内の上部に開口部１９による上下方向のスペースを形成することができ、ハウジング１７内に収納された通気弁１６の点検、取り替え等の作業を最も効果的に進めることができる。
【００２９】
（３）前記遮蔽板２４には、ボックス１２の動きを規制する規制部２５が設けられている。そのため、この規制部２５により、ボックス１２内においてハウジング１７が弁室３４内の正圧によって動いた場合でも、ハウジング１７の過度な動きを抑えることができる。また、規制部２５はカバー体２０と一体に設けられているため、別体で備える場合に比べて施工忘れをしたり、紛失したりするおそれがない。加えて、ハウジング１７が正常に装着されていないと、カバー体２０を挿入できないため、ハウジング１７の施工不良を防止することができる。
【００３０】
（４）前記遮蔽板２４はカバー体２０の上部背面からカバー体２０に対して直交方向に延出されるとともに、規制部２５は遮蔽板２４の下面に支持板２６と規制板２７とにより断面逆Ｔ字状をなすように設けられている。従って、ボックス１２内でハウジング１７が上方へ動いても、その動きを規制板２７により受け止めることができ、通気弁１６の機能を維持することができる。
【００３１】
（第１参考例）
次に、第１参考例を図８〜図１０に従って説明する。なお、この第１参考例及び後述する第２参考例〜第４参考例では、主に前記実施形態と異なる部分について説明する。
【００３２】
図８に示すように、第１参考例の通気弁収納用ボックスにおいては、半円状凸所１８ａを有するボックス１２の上面壁１８は設けられておらず、上面全体が開口部１９となっている。一方、カバー体２０の遮蔽板２４は前記ボックス１２の開口部１９を塞ぐように四角板状に形成されている。
【００３３】
図９に示すように、遮蔽板２４の下面には規制部２５は設けられておらず、遮蔽板２４自体が規制部２５となっている。図１０に示すように、規制部２５である遮蔽板２４はハウジング１７の上壁部１７ｂに近接する位置に設けられ、ハウジング１７の動きを規制できるようになっている。さらに、四角板状をなす遮蔽板２４がハウジング係合部２８となっている。
【００３４】
図９及び図１０に示すように、ボックス１２の背面にはスリット１２ａが貫通形成され、遮蔽板２４の後端部がそのスリット１２ａに挿通されている。そして、遮蔽板２４が安定して支持されるようになっている。
【００３５】
さて、通気弁１６の点検等を行う場合には、カバー体２０を上下逆にして遮蔽板２４をボックス１２の窓部１５から内部へ挿入し、遮蔽板２４のハウジング係合部２８をハウジング１７の底部に係合させ、ハウジング１７をボックス１２内で浮き上がらせる。その状態でハウジング１７を指４１で掴んで持ち上げ、ボックス１２の窓部１５から取り出すことができる。
【００３６】
従って、ハウジング１７の上壁部１７ｂを底壁部１７ａから分離し、ハウジング１７内に収納された通気弁１６の点検等を行うことができる。このように、カバー体２０のハウジング係合部２８を利用して、通気弁１６が収納されたハウジング１７を簡単かつ速やかに取り出すことができる。この際、ボックス１２の上面全体が開口部１９となり、そこに広いスペースが形成されていることから、ハウジング１７をボックス１２の窓部１５から取り出すときに指４１が障害物に当たることを回避でき、ハウジング１７の取り出しを一層円滑に行うことができる。
【００３７】
次いで、通気弁１６の点検等が終了した後には、通気弁１６が収納されたハウジング１７を指４１で把持し、ボックス１２の窓部１５からボックス１２内に挿入し、ハウジング１７を下方へ押圧してハウジング１７の円筒部３１をソケット３０内に嵌め込む。
【００３８】
このとき、ボックス１２の上面全体に開口部１９が設けられていることから、ハウジング１７をボックス１２の窓部１５から挿入して下方へ押圧するときに指４１が障害物に当たることを回避でき、ハウジング１７の収納を一層円滑に行うことができる。
【００３９】
（第２参考例）
次に、第２参考例を図１１及び図１２に従って説明する。
図１１及び図１２に示すように、ボックス１２の上面に開口部１９は設けられておらず、ボックス１２の両側面にそれぞれ四角形状の開口部１９が設けられている。カバー体２０の両側部の背面側には、各々四角板状の遮蔽板２４がカバー体２０に直交して後方へ延び、カバー体２０をボックス１２の前面に装着したとき、ボックス１２の開口部１９を覆うように構成されている。両遮蔽板２４の上部内面側には、互いに対向するように内方へ延びる板状の規制部２５が設けられている。また、両遮蔽板２４がハウジング係合部２８となっている。
【００４０】
さて、通気弁１６の点検等を行う場合には、カバー体２０を上下逆にして両遮蔽板２４をボックス１２の窓部１５から内部へ挿入し、両遮蔽板２４をハウジング１７の底部に係合させてハウジング１７をボックス１２内で浮き上がらせ、その状態でハウジング１７の両側を指４１で押えてボックス１２の窓部１５から取り出すことができる。
【００４１】
従って、ハウジング１７内に収納された通気弁１６の点検等を行うことができる。このように、カバー体２０のハウジング係合部２８としての両遮蔽板２４により、通気弁１６のハウジング１７を簡単かつ速やかに取り出すことができる。この際、ボックス１２の両側面が開口部１９となり、そこに広いスペースが形成されていることから、ハウジング１７をボックス１２の窓部１５から取り出すときに指４１が障害物に当たることなく、ハウジング１７の取り出しを円滑に行うことができる。
【００４２】
次いで、通気弁１６の点検等の終了後には、ハウジング１７の両側を指４１で把持してボックス１２内に挿入し、ハウジング１７を下方へ押圧してハウジング１７の円筒部３１をソケット３０内に挿入する。このとき、ボックス１２の両側面に開口部１９が設けられていることから、ハウジング１７をボックス１２の窓部１５から挿入して下方へ押圧するときに指４１が障害物に当たることを避けることができ、ハウジング１７の収納を円滑に行うことができる。
【００４３】
（第３参考例）
次に、第３参考例を図１３及び図１４に従って説明する。
図１３に示すように、ボックス１２の上面及び背面が解放されて開口部１９となっている。カバー体２０の上部背面側には、蛇腹状をなして変形可能に構成された遮蔽板２４が後方へ延出されている。ボックス１２の両側面の内面には、上部位置から後方へ延び、さらに下方へ延長された案内溝４５が設けられ、カバー体２０をボックス１２の前面に装着するとき、遮蔽板２４の側端部を案内し、遮蔽板２４がボックス１２の開口部１９を覆うように構成されている。また、遮蔽板２４の基端側が規制部２５となり、先端側がハウジング係合部２８となっている。
【００４４】
さて、図１４（ａ）に示すように、カバー体２０をボックス１２の前面に装着する場合には、遮蔽板２４の両側端部をボックス１２の案内溝４５に挿入した状態でカバー体２０をボックス１２側へ押圧することにより、遮蔽板２４の両側端部が案内溝４５に案内される。そして、図１４（ｂ）に示すように、カバー体２０がボックス１２の前面に装着されたときには、遮蔽板２４により、ボックス１２の上面及び背面が遮蔽される。この状態で、遮蔽板２４によりハウジング１７の上動が規制される。
【００４５】
次いで、通気弁１６の点検等を行う場合には、カバー体２０をボックス１２の前面から前方へ引くと、遮蔽板２４の両側端部がボックス１２の案内溝４５に案内されて遮蔽板２４が引き出される。このため、ボックス１２の上面と背面とが解放されて開口部１９が形成される。この状態で、ハウジング係合部２８としての遮蔽板２４を利用し、前記実施形態と同様にしてハウジング１７をボックス１２内から取り出すことができる。
【００４６】
このとき、ボックス１２の上面及び背面が開口部１９となり、そこに広いスペースが形成されていることから、ハウジング１７を取り出すときに指４１が障害物に当たることがほとんどなく、ハウジング１７の取り出しを円滑に行うことができる。従って、ハウジング１７内に収納された通気弁１６の点検等を速やかに行うことができる。
【００４７】
続いて、通気弁１６の点検等の終了後にハウジング１７をボックス１２内に収納するときも、ボックス１２の上面及び背面の広いスペースを利用し、指４１が障害物に当たることを避けて、ハウジング１７の収納を円滑に行うことができる。
【００４８】
（第４参考例）
次に、第４参考例を図１５及び図１６に従って説明する。
図１５及び図１６に示すように、前記ボックス１２の前面には、四角枠状の支持枠４６がその四隅の貫通孔４７に雄ねじ２２を貫通してボックス１２前面の雌ねじ孔２３に螺入することにより、支持枠４６がボックス１２の前面に固定されるように構成されている。該支持枠４６の前面には、複数の係止孔４８が設けられるとともに、カバー体２０の背面には支持枠４６の係止孔４８に係止される係止突起４９が設けられている。そして、係止孔４８及び係止突起４９からなる係止部により、カバー体２０が支持枠４６に対して着脱可能になっている。
【００４９】
前記ボックス１２の上面は全体が開口部１９になるとともに、カバー体２０の遮蔽板２４はカバー体２０がボックス１２の前面に装着されたときボックス１２の開口部１９を覆うように四角板状に形成されている。この遮蔽板２４が規制部２５になるとともに、ハウジング係合部２８ともなっている。
【００５０】
さて、図１５に示すように、カバー体２０をボックス１２の前面に組付ける場合には、まずボックス１２の前方に支持枠４６を配置し、支持枠４６の四隅の貫通孔４７に雄ねじ２２を貫通して、ボックス１２前面の雌ねじ孔２３に螺合することにより、支持枠４６をボックス１２の前面に固定することができる。
【００５１】
続いて、図１６に示すように、支持枠４６前面に複数設けられた係止孔４８に対してカバー体２０背面の係止突起４９を係止するように、カバー体２０を支持枠４６に押圧してカバー体２０を支持枠４６に組付ける。この状態で、ボックス１２上面の開口部１９を遮蔽板２４で遮蔽することができる。
【００５２】
このように、第４参考例では、ボックス１２の前面に支持枠４６を固定し、カバー体２０をその支持枠４６に対して着脱可能に構成したことから、カバー体２０の組付け及び取り外しを簡単かつ迅速に行うことができる。
【００５３】
なお、前記実施形態及び第１参考例〜第４参考例を、次のように変更して具体化することも可能である。
・前記開口部１９を、ボックス１２の上面と、少なくとも一方の側面とで形成したり、ボックス１２の少なくとも一方の側面と、背面で形成したりしてもよい。或いは、開口部１９を、ボックス１２の下面に形成することも可能である。これらの場合、カバー体２０の遮蔽板２４は、ボックス１２の開口部１９を遮蔽できるように構成する。
【００５４】
・前記規制部２５として、規制板２７を省略し、支持板２６のみで構成してもよい。
・第４参考例において、支持枠４６を省略し、ボックス１２の前面に係止孔４８を設け、カバー体２０の係止突起４９をボックス１２の係止孔４８に係止するように構成してもよい。
【００５５】
・前記ボックス１２内からハウジング１７を取り出した状態で、ボックス１２の底面の孔を塞ぐ蓋体を備えるように構成してもよい。
【符号の説明】
【００５６】
１１…構造物としての支持柱、１２…ボックス、１５…窓部、１６…通気弁、１７…ハウジング、１８…上面壁、１８ａ…半円状凸所、１９…開口部、２０…カバー体。
【図１】
2018109350.tif 000003
【図２】
2018109350.tif 000004
【図３】
2018109350.tif 000005
【図４】
2018109350.tif 000006
【図５】
2018109350.tif 000007
【図６】
2018109350.tif 000008
【図７】
2018109350.tif 000009
【図８】
2018109350.tif 000010
【図９】
2018109350.tif 000011
【図１０】
2018109350.tif 000012
【図１１】
2018109350.tif 000013
【図１２】
2018109350.tif 000014
【図１３】
2018109350.tif 000015
【図１４】
2018109350.tif 000016
【図１５】
2018109350.tif 000017
【図１６】
2018109350.tif 000018